(57)【特許請求の範囲】
【請求項１】
ラッチボルト及びデッドボルトを共に受け入れるようにした開口を設けたストライク板と、ストライク板の後方にラッチボルト及びデッドボルトを受け入れるようにした共通のトロヨケとを有し、トロヨケ内のラッチボルトが係入する下位位置又は上位位置に、正面から見て左右に移動可能にされたラッチボルト用の内ケース組立体を選択的にして取り外し可能に設け、以て、扉の左右の開き勝手及びラッチボルトとデッドボルトの上下の位置関係の変化に対応できるようにし、上記内ケース組立体は、ラッチボルトの係入孔を有する内ケースと、内ケースに回動軸をもって回動可能に取り付けられ、トロヨケの内壁に接触する調整カムと、トロヨケ内で内ケースを右方向又は左方向に付勢させるため、内ケースの側面部に設けた押えばねとで構成し、調整カムを回動させることによりトロヨケ内における内ケースの左右方向の相対位置を調整するようにしたことを特徴とする共用ストライク。
【発明の詳細な説明】
【０００１】
【発明の属する技術分野】
この発明は、扉錠のラッチボルト及びデッドボルトを共に受け入れて本締り又は仮締りができるようにした共用ストライクに関する。
【０００２】
【従来の技術】
扉の閉鎖時、突出状態にあるラッチボルト又はデッドボルトとストライクの係合部との間に必要以上の間隙が存在していると、風や振動により扉にがたつきを生じさせる。
【０００３】
がたつきの無い適正位置にストライクを取り付けたり、使用中にストライクの位置を微調整することは、かなり面倒なことであるため、近時調整式のストライクが盛んに研究されている。
【０００４】
従来の調整式のストライクとしては、例えば特開平７−１５８３２５号公報又は実公平７−２１７６９号公報に記載されたものを挙げることができる。
【０００５】
前者はカムにより、また、後者はラックとピニオンによりストライク板とトロヨケとで作られた空間内で内ケースを正面から見て左右方向に（閉鎖時の扉の厚さ方向）に移動できるようにしたものであるが、両者はいずれもラッチボルト又はデッドボルトに対し各別に対応させるものとして提案されている。
【０００６】
従って、扉錠にラッチボルト及びデッドボルトが上下に併設されており、それを１つの共用のストライクで受けようとする場合については、配慮がなされていない。
【０００７】
【発明が解決しようとする課題】
この発明のストライクは、扉錠に併設されたラッチボルト及びデッドボルトを共に受け入れることができる縦長の共用タイプであるに関わらず、閉鎖時の扉のがたつきを排除するための調整を容易に行えるようにすること、扉の開き勝手について左右の別なく利用できるようにすること、ラッチボルト及びデッドボルトの設定位置が上下で異なっていても利用できるようにすること、及び、機能の割に全体を軽量にすることなどを目的として提案されたものである。
【０００８】
【課題を解決するための手段】
上記の目的を達成するため、この発明の共用ストライクは、ラッチボルト及びデッドボルトを共に受け入れるようにした開口を設けたストライク板と、ストライク板の後方にラッチボルト及びデッドボルトを受け入れるようにした共通のトロヨケとを有し、トロヨケ内のラッチボルトが係入する下位位置又は上位位置に、正面から見て左右に移動可能にされたラッチボルト用の内ケース組立体を選択的にして取り外し可能に設け、以て、扉の左右の開き勝手及びラッチボルトとデッドボルトの上下の位置関係の変化に対応できるようにし、上記内ケース組立体は、ラッチボルトの係入孔を有する内ケースと、内ケースに回動軸をもって回動可能に取り付けられ、トロヨケの内壁に接触する調整カムと、トロヨケ内で内ケースを右方向又は左方向に付勢させるため、内ケースの側面部に設けた押えばねとで構成し、調整カムを回動させることによりトロヨケ内における内ケースの左右方向の相対位置を調整するようにしたことを特徴とする。
【０００９】
【発明の実施の形態】
以下、図面に示す実施例に基いてこの発明について説明する。
図１〜図３において、符号１０は左勝手の扉（図示しない）の開放側端面が対向する扉枠又は両開き扉における他方の扉の縦框、２０は扉錠から突出入されるデッドボルト、３０は扉錠においてデッドボルト２０の下方又は上方に併設されたラッチボルトである。
【００１０】
扉枠又は他方の扉の縦框１０に取付ねじ９１等で固定されるストライク板１及びトロヨケ２は、突出時のデッドボルト２０及びラッチボルト３０が共に受け入れられるように縦に細長く形成されている。
【００１１】
ストライク板１は両ボルト２０、３０が突入される縦長の開口１１を有する。開口１１は１つでもよいし、縦方向の中間に仕切り部分を残した２つのものとしてもよい。
【００１２】
ストライク板１の後方に設けられる固定の外ケースであるトロヨケ２は、前方が開口された箱形をなし、上下部分には取付けのためのフランジ２１、２１を有する。
【００１３】
トロヨケ２内のラッチボルト３０が係入する下位位置又は上位位置には、正面から見て左右に移動可能にされたラッチボルト用の内ケース組立体３を前記のストライク板１で封ずるようにして、すなわち押え止めるようにして取り外し可能に設ける。
【００１４】
内ケース組立体３は、図１〜図５に示すように、ラッチボルト３０の係入孔４１として正面が開口された箱形をなす内ケース４と、内ケース４の底部に回動軸５１をもって回動可能に取り付けられ、トロヨケ２の内壁に接触する調整カム５と、トロヨケ２内で内ケース４を右方向又は左方向に付勢させるため、内ケース４の外側面部に鋲６１等で固定した板ばねその他の押えばね６とで構成してある。
【００１５】
内ケース４はトロヨケ２内において任意の案内手段で左右方向に直線的に変位可能にしてある。図示例の案内手段としては、トロヨケ底部の立ち上がり突片２２と内ケース４の外壁面との組、内ケース４に設けたフランジ状の舌片４２とトロヨケ２又はストライク板１に設けた案内孔１２との組、トロヨケ２に設けた突片２３と内ケース４に設けた長孔４３との組、及び、ストライク板１の内面と内ケース４の舌片４２との組等が用いられている。
【００１６】
上述したように、内ケース４の左右への案内手段は図示例のものに限らず任意に設計できるが、図７の別の実施例においては、図１及び図２に示す第１の実施例におけるトロヨケ底部の立ち上がり突片（２２）が省略してある。
【００１７】
従って、この例においては、立ち上がり突片と内ケース４の外壁面との組で成る案内手段が設けられておらず、内ケース４は他の組の案内手段で案内されることになる。別の実施例における他の部品・部材は第１の実施例のそれらと同等である。
【００１８】
図７に示すように、トロヨケ底部に立ち上がり突片を有しないものにあっては、内ケース組立体３を左右方向の向きを変えずに上下で位置を変える時、取付ねじ９１を少し緩めれば該内ケース組立体３を一旦抜き出すことなく多少浮き上がらせた状態で移動させることもできるので、このような組み付け換えにおいては有利に作用する。
【００１９】
以下図１〜図５に戻って説明すると、調整カム５としては正面形が偏心した多角形をなす板カム（図５参照）が好ましく、そのカム５は回動軸５１の後端に固定してある。
【００２０】
内ケース４の底部に支承された回動軸５１の前端にはドライバ等の工具係着部５２が設けてあり、その前端は内ケース４内に露出させてある。
【００２１】
この発明に係るストライクが扉枠又は他方の扉の縦框１０に取り付けられた後、工具係着部５２にドライバ等を差し込み、回動軸５１を左回り又は右回りに回動させると、調整カム５の回動変位により、内ケース４はトロヨケ２内で押しばね６に抗して正面から見て右又は左に摺動変位する。
【００２２】
その際、内ケース４のラッチボルト３０に対する係合面４４が図３で距離ｌの範囲を変位するので、その係合面４４が最適の位置となるようにして内ケース４の位置をしかるべく設定する。
【００２３】
ここに、内ケース４はトロヨケ２内の左右方向に関する適正位置において調整カム５と押しばね６の挟持作用により安定した状態で保持される。
【００２４】
図１及び図２に示すストライク板１、トロヨケ２及び内ケース組立体３の組み付け状態は、錠が取り付けられる扉（図示しない）が左勝手に開放され、錠においてデッドボルト２０が上位位置でラッチボルト３０が下位位置に配置されている場合に対応させるためのものである。
【００２５】
錠が取り付けられる扉が右勝手で前記と同じ錠が用いられた場合は、図６に示すように、トロヨケ２を基準として、ストライク板１を上下で逆にし、内ケース組立体３を左右で逆にして組み付ければ、図１の共用ストライクの各部材はそのまま用いることができる。
【００２６】
更に、使用される別の扉錠においてラッチボルト（３０）が上でデッドボルト（２０）が下に設けられており、かつ、その錠が取り付けられる扉が左勝手に開放されるものに対応させる場合は、図６に示す態様の共用ストライク全体を縦框１０に対して上下で逆にして装着すれば、その共用ストライクはそのまま用いることができる。
【００２７】
また、前記と同じ錠を用いて、錠が取り付けられる扉が右勝手に開放されるものに対応させる場合は、図１に示す態様の共用ストライク全体を縦框１０に対して上下で逆にして装着すればよい。
【００２８】
内ケース４がトロヨケ２内で適正位置に保持されている時は、閉扉時、内ケース４の係合面４４とラッチボルト３０の背面との間はほぼ密接した状態に保たれるので、扉にがたつきは生じない。
【００２９】
なお、閉扉時においては、錠が本締りであっても仮締りであっても、少くともラッチボルト３０は内ケース４内に係入しているので、がたつきの調整はラッチボルト３０についてのみ行えば済むことになる。
【００３０】
図示の共用ストライクにおけるストライク板１とトロヨケ２との最終的な固定は、縦框１０に対する取付け時に取付ねじ９１によって行われるようにしてあるが、ストライク板１とトロヨケ２との間は図示しない別の専用の止めねじによって固定するようにしてもよい。
【００３１】
【発明の効果】
以上の説明から明らかなように、この発明の共用ストライクによれば、内ケース組立体３のトロヨケ２内における左右位置を調整カムの回動により設定できるようにしたので、ストライクが扉錠に併設されたラッチボルト及びデッドボルトを共に受け入れることができる縦長の共用タイプであるにかかわらず、閉鎖時の扉のがたつきを排除するための調整が容易である。
【００３２】
また、内ケース組立体３を選択的にして取り外し可能に装着するようにしたので、その左右を変えて装着することにより扉の開き勝手について左右の別なく利用できる。
【００３３】
更にまた、内ケース組立体３を選択的にして取り外し可能に装着するようにしたので、その上下を変えて装着することによりラッチボルト及びデッドボルトの上下の位置関係がいずれであっても利用できる。
【００３４】
加えて、調整手段の主要部である内ケース組立体はラッチボルト側に限って設けるようにしたので、機能の割りに全体の重量を軽くできる、等種々の効果を奏する。
【図面の簡単な説明】
【図１】この発明の共用カムの実施例を示す正面図。
【図２】その縦断側面図。
【図３】図１のＩＩＩ−ＩＩＩ線による横断底面図。
【図４】図１の実施例から取り外した内ケース組立体を示し、（Ａ）は正面図、（Ｂ）は底面図である。
【図５】図１の実施例から取り出した調整カムの拡大正面図。
【図６】図１の実施例の共用ストライクを別の取付け態様で示した正面図。
【図７】この発明の共用ストライクの別の実施例を示す正面図。
【符号の説明】
２０  デッドボルト
３０  ラッチボルト
１  ストライク板
１１  開口
２  トロヨケ
３  内ケース組立体
４  内ケース
５  調整カム
６  押しばね
【図１】
0004035186.tif 000002
【図２】
0004035186.tif 000003
【図３】
0004035186.tif 000004
【図４】
0004035186.tif 000005
【図５】
0004035186.tif 000006
【図６】
0004035186.tif 000007
【図７】
0004035186.tif 000008